(57)【要約】【課題】  各種配線、電極、電子素子等を構成する導電層部分間における短絡や電気抵抗低下を防止する。【解決手段】  電気光学装置は、画像表示領域内に画素毎に開口領域を有しており、基板上に、該開口領域に対応して設けられた複数の画素電極を駆動するための配線及び電子素子のうち少なくとも一つを層間絶縁する複数の層間絶縁層を備えている。配線及び電子素子の少なくとも一部は、複数の層間絶縁層のうち他の層間絶縁層を層間に挟まない二つの層間絶縁層の該層間に積層された同一導電層から形成されると共に平面的に見て相互から分断された二つの導電層部分からなり、画素の非開口領域内であり且つ二つの導電層部分の間を占める平面領域における、二つの層間絶縁層の層間に積層された窒化膜を更に備える。【選択図】      図５
2005062417.tif 000002
【特許請求の範囲】
【請求項１】
画像表示領域内に画素毎に開口領域を有する電気光学装置であって、
基板上に、
第1の絶縁層と、
該第1の絶縁層上に形成され電気的に分離された複数の導電層と、
前記画素の非開口領域内であり且つ前記複数の導電層間を占める平面領域における、前記第1の絶縁層上に積層された窒化膜と、
前記複数の導電層及び前記窒化膜上に形成された第２の絶縁層と、
を備えたことを特徴とする電気光学装置。
【請求項２】
前記開口領域は、前記窒化膜が形成されていない領域を含むことを特徴とする請求項１に記載の電気光学装置。
【請求項３】
前記窒化膜は、前記平面領域に加えて前記非開口領域内であって且つ前記導電層の少なくとも一部が形成された領域にも形成されていることを特徴とする請求項１又は２に記載の電気光学装置。
【請求項４】
前記窒化膜は、前記導電層の少なくとも一部における端面にも形成されていることを特徴とする請求項１から３のいずれか一項に記載の電気光学装置。
【請求項５】
前記窒化膜は少なくとも部分的に、前記複数の導電層部分の端面をすべて覆うように設けられていることを特徴とする請求項１から４のいずれか一項に記載の電気光学装置。
【請求項６】
前記窒化膜はシリコン窒化膜であることを特徴とする請求項１から５のいずれか一項に記載の電気光学装置。
【請求項７】
前記複数の導電層のうち二つの導電層の一方は、前記画素電極に蓄積容量を付加するための容量線又はこれに接続された電磁シールド層であり、前記二つの導電層の他方は、前記電子素子から前記画素電極への中継部であることを特徴とする請求項１から６のいずれか一項に記載の電気光学装置。
【請求項８】
前記複数の導電層のうち二つの導電層の一方は、前記電子素子に画像信号を供給するデータ線であり、前記二つの導電層の他方は、前記電子素子から前記画素電極への中継部であることを特徴とする請求項１から７のいずれか一項に記載の電気光学装置。
【請求項９】
前記複数の導電層のうち二つの導電層の一方は、前記電子素子に画像信号を供給するデータ線であり、前記二つの導電層の他方は、前記画素電極に蓄積容量を付加するための容量線から前記蓄積容量への中継部であることを特徴とする請求項１から８のいずれか一項に記載の電気光学装置。
【請求項１０】
前記中継部は、前記画素毎に島状に分断して複数設けられており、
前記窒化膜は、前記中継部の夫々に対応して、島状に分断して複数設けられていることを特徴とする請求項７から９のいずれか一項に記載の電気光学装置。
【請求項１１】
前記複数の導電層のいずれかは、アルミニウムを主成分とする金属層から構成されていることを特徴とする請求項１から１０のいずれか一項に記載の電気光学装置。
【請求項１２】
請求項１から１１のいずれか一項に記載の電気光学装置を具備してなることを特徴とする電子機器。
【発明の詳細な説明】
【技術分野】
【０００１】
本発明は、液晶装置等の電気光学装置及び電子機器の技術分野に属する。また、本発明は電子ペーパ等の電気泳動装置やＥＬ（エレクトロルミネッセンス）装置等の技術分野にも属する。
【背景技術】
【０００２】
この種の電気光学装置では、一対の基板間に液晶等の電気光学物質を挟持してなり、これらを貫くように光を透過させることで、画像の表示が行われる。このような電気光学装置としては、前記一対の基板の一方の上に、マトリクス状に配列された画素電極、該画素電極間を縫うように設けられた走査線及びデータ線、加えて、画素スイッチング用素子としてＴＦＴ（Thin Film Transistor）等を備えることによって、アクティブマトリクス駆動可能なものが提供されている。
【０００３】
ここに、例えばデータ線はアルミニウム膜を用いて形成される。そして、このようにアルミニウム膜を用いて形成された配線層上に、窒化膜を積層させた配線構造が知られている（例えば、特許文献１参照）。このような配線層によれば、該配線層の下に配置され、該配線層より下層に形成されたＴＦＴへの水分の浸入を防止することが可能となる。その結果、ＴＦＴを長寿命化させることが可能となる。
【０００４】
【特許文献１】特開平７−５８１１０号公報
【発明の開示】
【発明が解決しようとする課題】
【０００５】
しかしながら、例えば、上下二つの層間絶縁層に挟持された同一導電層からなると共に相互から分断されてなる二つの配線の間を占める平面領域や、配線と中継部との間を示す平面領域には、該上下二つの層間絶縁層が直接に接する界面が存在する。すると、該上下二つの層間絶縁層自体の電気抵抗が高くても、係る界面に水分が浸入すると、界面に沿って導電路が発生してしまう。この結果、係る界面を介して二つの配線間の電気抵抗が低下したり、短絡してしまったりするという技術的問題点がある。
【０００６】
本発明は、上記問題点に鑑み成されたものであり、各種配線、電極、電子素子等を構成する導電層部分間における短絡や電気抵抗低下を防止することが可能な、例えば液晶装置等の電気光学装置、及び該電気光学装置を備えてなる例えば液晶プロジェクタ等の電子機器を提供することを課題とする。
【課題を解決するための手段】
【０００７】
本発明の電気光学装置は上記課題を解決するために、画像表示領域内に画素毎に開口領域を有する電気光学装置であって、基板上に、第1の絶縁層と、該第1の絶縁層上に形成され電気的に分離された複数の導電層と、前記画素の非開口領域内であり且つ前記複数の導電層間を占める平面領域における、前記第1の絶縁層上に積層された窒化膜と、前記複数の導電層及び前記窒化膜上に形成された第２の絶縁層とを備える。
【０００８】
本発明の電気光学装置によれば、複数の導電層は、例えば開口領域に対応して設けられた複数の画素電極を駆動するための配線及び電子素子の少なくとも一部を形成する。そして電気光学装置の動作時には、例えば、データ線、走査線、容量線、画素スイッチング用ＴＦＴ等など、配線及び電子素子によって、複数の画素電極を駆動することで、各画素の開口領域で電気光学駆動が行われ、画像表示領域におけるアクティブマトリクス駆動による画像表示が行われる。
【０００９】
ここで、複数の導電層間を占める平面領域に、仮に窒化膜が存在しないとすると、第１の層間絶縁膜及び第２の層間絶縁膜が直接に接する界面が存在することになる。すると、例えば典型的には、それ自体は良好な電気絶縁性を示す酸化シリコンやガラスからなる第１の層間絶縁膜及び第２の層間絶縁膜間の界面に水分が浸入した場合には、該界面に沿った導電路が発生してしまうため、複数の導電層間の電気抵抗が著しく低下するという現象が生じかねない。しかるに本発明では、これら複数の導電層間を占める平面領域には、例えば酸化シリコンやガラス等と比べて水分の透過を殆ど許さない、例えばＳｉＮ膜、ＳｉＯＮ膜又はＴｉＮ膜等の窒化膜が存在するので、窒化膜を一方の面とする界面に水分が浸入し難くなる。更に、一方の界面に水分が浸入しても、これが窒化膜を透過することは殆ど無くなる。これらの結果、複数の導電層間を占める平面領域において、窒化膜を一方の面とする界面に沿った導電路が殆ど発生しないため、例えば配線間ショートなど、複数の導電層間の電気抵抗が低下する現象を非常に効果的に防止できるのである。
【００１０】
しかも、このような窒化膜は、画素の非開口領域内に積層されているので、画素の開口領域に設けなくて済み、開口領域における光透過率等の光学特性を劣化させないで、上述の如き電気抵抗が低下する現象を防止できる。
【００１１】
尚、窒化膜は上述した作用及び効果を鑑みれば、複数の導電層間を占める平面領域において、複数の導電層間を橋渡しするように設けられるのが好ましい。
【００１２】
また、例えば、相対的に水分が浸入しやすい基板上における積層構造の上層寄りに位置する配線部や中継部なと、水分の浸入により短絡が生じやすい複数の導電層間を選択して上述したように窒化膜を設けると効率的である。
【００１３】
本発明の電気光学装置の一態様では、前記開口領域は、前記窒化膜が形成されていない領域を含む。
【００１４】
この態様によれば、窒化膜は、画素の非開口領域内にのみ積層されているので、各画素の開口領域における光透過率等の光学特性を、窒化膜の存在により劣化させないで済む。この結果、明るく高品位の画像を表示させる上で大変有利である。
【００１５】
尚、各画素の開口領域は、窒化膜が全く形成されていない領域とされることが、開口領域内における光透過率を最大限に高める上で、即ち表示画像の明るさを最大限に高める上で望ましい。但し、各画素の開口領域内に多少の窒化膜が形成されていても、窒化膜が形成されていない領域の割合に応じて、光透過率を高めることが可能となる。更に、各画素の開口領域内に窒化膜が僅かでも形成されていない領域が存在すれば、開口領域の全域に窒化膜が形成されている場合と比較して、光透過率を高めることが可能となる。
【００１６】
本発明の電気光学装置の他の態様では、前記窒化膜は、前記平面領域に加えて前記非開口領域内であって且つ前記導電層の少なくとも一部が形成された領域にも形成されている。
【００１７】
この態様によれば、前記導電層をその一部として形成される配線や電子素子に対する水分の浸入を防ぐことが可能となり、装置の寿命や信頼性を向上させるのに役立つ。しかも、非開口領域内にのみ窒化膜を設けるので、各画素の開口領域における光透過率等の光学特性を、窒化膜の存在により劣化させないで済む。
【００１８】
本発明の電気光学装置の他の態様では、前記窒化膜は、前記導電層の少なくとも一部における端面にも形成されている。
【００１９】
この態様によれば、その動作時には、当該電気光学装置に入射される表示用の光が、前記導電層により形成される配線や電子素子の端面で乱反射するのを、該端面に形成されると共に光吸収能力を有する窒化膜部分によって、低減できる。特に、導電層部分が、高反射率のアルミニウム膜を用いて構成される場合、乱反射により、表示画面にフリッカを生じる恐れが高いので、この態様は非常に有効となる。このように、表示画像の画質を一層高めることが可能となる。
【００２０】
本発明の電気光学装置の他の態様では、前記窒化膜は少なくとも部分的に、前記複数の導電層部分の端面をすべて覆うように設けられている。
【００２１】
この態様によれば、例えば窒化膜が設けられた導電層部分が画素開口部に近接している場合であっても、該窒化膜の裾の部分は導電層部分の端面の裾に沿って設けられるため、開口領域の手前に窒化膜を形成することが可能となる。その結果、開口領域に近接した導電層部分からなる配線等についても、窒化膜を設けることにより、水分の浸入防止による短絡防止を図れる。
【００２２】
本発明の電気光学装置の他の態様では、前記窒化膜はシリコン窒化膜である。
【００２３】
この態様によれば、窒化膜として特にシリコン窒化膜（ＳｉＮ膜）を用いることにより、複数の導電層間を占める平面領域における、第１の層間絶縁膜及び第２の層間絶縁膜間が直接に接する界面への水分の浸入を効果的に防止することが可能となる。
【００２４】
本発明の電気光学装置の他の態様では、前記複数の導電層のうち二つの導電層の一方は、前記画素電極に蓄積容量を付加するための容量線又はこれに接続された電磁シールド層であり、前記二つの導電層の他方は、前記電子素子から前記画素電極への中継部である。
【００２５】
この態様によれば、蓄積容量を用いることで各画素電極における画像信号の保持特性を向上させることにより高品位の画像表示が可能となる。或いは、電磁シールド層の存在によって、例えば画素電極から見て電磁シールド層に覆われた、各種配線や電子素子と該画素電極との間における電磁気的な干渉或いは相互ノイズを、当該電磁シールド層によって効果的に遮蔽できる。しかも、容量線又は電磁シールド層と画素電極との間における短絡或いは電気抵抗低下を防止できるので、装置故障や画質劣化を効果的に阻止できる。
【００２６】
本発明の電気光学装置の他の態様では、前記複数の導電層のうち二つの導電層の一方は、前記電子素子に画像信号を供給するデータ線であり、前記二つの導電層の他方は、前記電子素子から前記画素電極への中継部である。
【００２７】
この態様によれば、データ線を介して画像信号を各画素電極に安定して供給でき、高品位の画像表示が可能となる。しかも、データ線と画素電極との間における短絡或いは電気抵抗低下を防止できるので、装置故障や画質劣化を効果的に阻止できる。
【００２８】
本発明の電気光学装置の他の態様では、前記複数の導電層のうち二つの導電層の一方は、前記電子素子に画像信号を供給するデータ線であり、前記二つの導電層の他方は、前記画素電極に蓄積容量を付加するための容量線から前記蓄積容量への中継部である。
【００２９】
この態様によれば、データ線を介して画像信号を各画素電極に安定して供給でき、高品位の画像表示が可能となると共に蓄積容量を用いることで各画素電極における画像信号の保持特性を向上させることにより高品位の画像表示が可能となる。しかも、データ線と容量線との間における短絡或いは電気抵抗低下を防止できるので、装置故障や画質劣化を効果的に阻止できる。
【００３０】
これらの中継部に係る態様では、前記中継部は、前記画素毎に島状に分断して複数設けられており、前記窒化膜は、前記中継部の夫々に対応して、島状に分断して複数設けられているように構成してもよい。
【００３１】
このように構成すれば、比較的小さく必要最小限に近い領域にのみ、窒化膜を島状に分散して形成することで、二つの導電層間における短絡或いは電気抵抗低下を防止できる。これにより、画素の開口領域内に窒化膜を形成しない平面レイアウトが容易となる。
【００３２】
本発明の電気光学装置の他の態様では、前記複数の導電層のいずれかは、アルミニウムを主成分とする金属層から構成されている
【００３３】
この態様では、導電率に優れたアルミニウムを主成分とする金属層を利用して、良好な配線や中継部等の、導電層部分を構築できる。しかも、窒化膜の存在によって、比較的水分に弱いアルミニウムを主成分とする金属層からなる導電層部分間における短絡或いは電気抵抗低下を防止できる。加えて、水分浸入による金属層のマイグレーションを防止することにも繋がるので、装置の寿命や信頼性を向上させる上で大変有利である。
【００３４】
本発明の電子機器は上記課題を解決するために、上述した本発明の電気光学装置（但し、その各種態様も含む）を具備してなる。
【００３５】
本発明の電子機器は、上述した本発明の電気光学装置を具備してなるので、当該電気光学装置における各種配線の短絡を防止することが可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置の他に、電子放出素子（Field Emission Display及びSurface-Conduction Electron-Emitter Display）等も実現することが可能である。
【００３６】
本発明のこのような作用及び他の利得は次に説明する実施の形態から明らかにされる。
【発明を実施するための最良の形態】
【００３７】
以下では、本発明の実施の形態について図を参照しつつ説明する。以下の実施形態は、本発明の電気光学装置を液晶装置に適用したものである。
【００３８】
まず、本発明の実施形態における電気光学装置の画素部における構成について、図１から図５を参照して説明する。ここに図１は、電気光学装置の画像表示領域を構成するマトリクス状に形成された複数の画素における各種素子、配線等の等価回路である。図２は、データ線、走査線、画素電極等が形成されたＴＦＴアレイ基板の相隣接する複数の画素群の平面図であり、図３は、図２のうち特にデータ線、シールド層及び画素電極の配置関係を示すためこれらの要素を抜き出して描いた平面図である。また、図４は、更に図３のうち、本発明に係る「窒化膜」の構成例を説明するために、該窒化膜と一部の構成要素を抜き出して描いた平面図である。また、図５は、図２のＡ−Ａ´断面図である。なお、図５においては、各層・各部材を図面上で認識可能な程度の大きさとするため、該各層・各部材ごとに縮尺を異ならしめてある。
【００３９】
図１において、本実施形態における電気光学装置の画像表示領域を構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００４０】
また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００４１】
画素電極９ａを介して電気光学物質の一例としての液晶に書き込まれた所定レベルの画像信号Ｓ１、Ｓ２、…、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００４２】
ここで保持された画像信号がリークするのを防ぐために、画素電極９ａと対向電極との間に形成される液晶容量と並列に蓄積容量７０を付加する。この蓄積容量７０は、走査線３ａに並んで設けられ、固定電位側容量電極を含むとともに定電位に固定された容量電極３００を含んでいる。
【００４３】
以下では、上記データ線６ａ、走査線３ａ、ＴＦＴ３０等による、上述のような回路動作が実現される電気光学装置の、実際の構成について、図２ないし図５を参照して説明する。
【００４４】
まず、図２において、画素電極９ａは、ＴＦＴアレイ基板１０上に、マトリクス状に複数設けられており、画素電極９ａの縦横の境界に各々沿ってデータ線６ａ及び後述する下側遮光膜１１ａがその機能を兼ねる走査線３ａが設けられている。データ線６ａは、後述するようにアルミニウム膜等を含む積層構造からなる。また、走査線として機能する下側遮光膜１１ａとデータ線６ａとの交差する個所には夫々、半導体層１ａのうち図中右上がりの斜線領域で示したチャネル領域１ａ´が形成されている。このように、島状に形成されたチャネル領域１ａ’に応じてゲート電極３ａａが島状に形成されている。すなわち、走査線とデータ線６ａとの交差する箇所にはそれぞれ、画素スイッチング用のＴＦＴ３０が設けられている。
【００４５】
次に、電気光学装置は、図２のＡ−Ａ´線断面図たる図５に示すように、例えば、石英基板、ガラス基板、シリコン基板からなるＴＦＴアレイ基板１０と、これに対向配置される、例えばガラス基板や石英基板からなる対向基板２０とを備えている。
【００４６】
ＴＦＴアレイ基板１０の側には、図５に示すように、前記の画素電極９ａが設けられており、その上側には、ラビング処理等の所定の配向処理が施された配向膜１６が設けられている。画素電極９ａは、例えばＩＴＯ膜等の透明導電性膜からなる。他方、対向基板２０の側には、その全面に渡って対向電極２１が設けられており、その下側には、ラビング処理等の所定の配向処理が施された配向膜２２が設けられている。このうち対向電極２１は、上述の画素電極９ａと同様に、例えばＩＴＯ膜等の透明導電性膜からなり、前記の配向膜１６及び２２は、例えば、ポリイミド膜等の透明な有機膜からなる。このように対向配置されたＴＦＴアレイ基板１０及び対向基板２０間には、後述のシール材（図９及び図１０参照）により囲まれた空間に液晶等の電気光学物質が封入され、液晶層５０が形成される。液晶層５０は、画素電極９ａからの電界が印加されていない状態で配向膜１６及び２２により所定の配向状態をとる。液晶層５０は、例えば一種又は数種類のネマティック液晶を混合した電気光学物質からなる。シール材は、ＴＦＴ基板１０及び対向基板２０をそれらの周辺で貼り合わせるための、例えば光硬化性樹脂や熱硬化性樹脂からなる接着剤であり、両基板間の距離を所定値とするためのグラスファイバー或いはガラスビーズ等のスペーサが混入されている。
【００４７】
一方、ＴＦＴアレイ基板１０上には、前記の画素電極９ａ及び配向膜１６の他、これらを含む各種の構成が積層構造をなして備えられている。この積層構造は、図５に示すように、下から順に、走査線３ａを兼ねる下側遮光膜１１ａを含む第１層、ＴＦＴ３０を含む第２層、蓄積容量７０を含む第３層、データ線６ａ等を含む第４層、シールド層４００が形成される第５層、前記の画素電極９ａ及び配向膜１６等を含む第６層（最上層）からなる。また、第１層及び第２層間には下地絶縁膜１２が、第２層及び第３層間には第１層間絶縁層４１が、第３層及び第４層間には第２層間絶縁層４２が、第４層及び第５層間には第３層間絶縁層４３が、第５層及び第６層間には第４層間絶縁層４４が、夫々設けられており、前述の各要素間が短絡することを防止している。また、これら各種の絶縁膜１２、４１、４２、４３及び４４には、例えば、ＴＦＴ３０の半導体層１ａ中の高濃度ソース領域１ｄとデータ線６ａとを電気的に接続するコンタクトホール等もまた設けられている。以下では、これらの各要素について、下から順に説明を行う。
【００４８】
まず、第１層には、例えば、Ｔｉ（チタン）、Ｃｒ（クロム）、Ｗ（タングステン）、Ｔａ（タンタル）、Ｍｏ（モリブデン）等の高融点金属のうちの少なくとも一つを含む、金属単体、合金、金属シリサイド、ポリシリサイド、これらを積層したもの等からなる下側遮光膜１１ａが設けられている。この下側遮光膜１１ａは、図５中Ｘ方向に延在するストライプ状に形成されている。なお、下側遮光膜１１ａについては、図２に示すように、データ線６ａが延在する方向に沿って突出部を有している。これにより各画素の開口領域を規定している（図２参照）。ただし、相隣接する下側遮光膜１１ａから延びる突出部は相互に接触することはなく、互いに電気的に絶縁されている。こうしないと、下側遮光膜１１ａを、走査線３ａとして機能させることができないからである。
【００４９】
次に、第２層には、半導体層１ａのチャネル領域１ａ´に対向するように、ゲート電極３ａａが設けられることにより、ＴＦＴ３０が形成されている。ＴＦＴ３０は、図５に示すように、ＬＤＤ（Lightly Doped Drain）構造を有しており、その構成要素としては、ゲート電極３ａａ、例えばポリシリコン膜からなり走査線としての下側遮光膜１１ａからの電界によりチャネルが形成される半導体層１ａのチャネル領域１ａ´、ゲート電極３ａａと半導体層１ａとを絶縁するゲート絶縁膜を含む絶縁膜２、半導体層１ａにおける低濃度ソース領域１ｂ及び低濃度ドレイン領域１ｃ並びに高濃度ソース領域１ｄ及び高濃度ドレイン領域１ｅを備えている。
【００５０】
なお、ＴＦＴ３０は、好ましくは図５に示したようにＬＤＤ構造をもつが、低濃度ソース領域１ｂ及び低濃度ドレイン領域１ｃに不純物の打ち込みを行わないオフセット構造をもってよいし、ゲート電極３ａａをマスクとして高濃度で不純物を打ち込み、自己整合的に高濃度ソース領域及び高濃度ドレイン領域を形成するセルフアライン型のＴＦＴであってもよい。また、本実施形態では、画素スイッチング用ＴＦＴ３０のゲート電極を、高濃度ソース領域１ｄ及び高濃度ドレイン領域１ｅ間に１個のみ配置したシングルゲート構造としたが、これらの間に２個以上のゲート電極を配置してもよい。このようにデュアルゲート、あるいはトリプルゲート以上でＴＦＴを構成すれば、チャネルとソース及びドレイン領域との接合部のリーク電流を防止でき、オフ時の電流を低減することができる。さらに、ＴＦＴ３０を構成する半導体層１ａは非単結晶層でも単結晶層でも構わない。単結晶層の形成には、貼り合わせ法等の公知の方法を用いることができる。半導体層１ａを単結晶層とすることで、特に周辺回路の高性能化を図ることができる。
【００５１】
また、第２層には、上述のゲート電極３ａａと同一膜として中継電極７１９が形成されている。中継電極７１９は、平面的に見て、図２に示すように、各画素電極９ａの一辺の略中央に位置するように、島状に形成されている。中継電極７１９と、ゲート電極３ａａとは同一膜として形成されているから、後者が例えば導電性ポリシリコン膜等からなる場合においては、前者もまた、導電性ポリシリコン膜等からなる。
【００５２】
以上説明した下側遮光膜１１ａの上、かつ、ＴＦＴ３０の下には、例えばシリコン酸化膜等からなる下地絶縁膜１２が設けられている。下地絶縁膜１２は、下側遮光膜１１ａからＴＦＴ３０を層間絶縁する機能のほか、ＴＦＴアレイ基板１０の全面に形成されることにより、ＴＦＴアレイ基板１０の表面研磨時における荒れや、洗浄後に残る汚れ等で画素スイッチング用のＴＦＴ３０の特性変化を防止する機能を有する。
【００５３】
下地絶縁膜１２には、平面的にみて半導体層１ａの両脇に後述するデータ線６ａに沿って延びる半導体層１ａのチャネル長の方向に沿った溝状のコンタクトホール１２ｃｖが掘られており、このコンタクトホール１２ｃｖに対応して、その上方に積層されるゲート電極３ａａは下側に凹状に形成された部分を含んでいる。また、このコンタクトホール１２ｃｖ全体を埋めるようにして、ゲート電極３ａａが形成されていることにより、該ゲート電極３ａａには、これと一体的に形成された側壁部３ｂが延設されるようになっている。これにより、ＴＦＴ３０の半導体層１ａは、図２に示されるように、平面的にみて側方から覆われるようになっており、少なくともこの部分からの光の入射が抑制されるようになっている。
【００５４】
また、この側壁部３ｂは、前記のコンタクトホール１２ｃｖを埋めるように形成されているとともに、その下端が前記の下側遮光膜１１ａと接するようにされている。ここで、下側遮光膜１１ａは、上述のようにストライプ状に形成されていることから、ある行に存在するゲート電極３ａａ及び下側遮光膜１１ａは、当該行に着目する限り、常に同電位となる。
【００５５】
次に、第３層には、蓄積容量７０を構成する第１中継層７１、誘電体膜７５及び容量電極３００が形成されている。蓄積容量７０は、ＴＦＴ３０の高濃度ドレイン領域１ｅ及び画素電極９ａに接続された画素電位側容量電極としての第１中継層７１と、固定電位側容量電極としての容量電極３００とが、誘電体膜７５を介して対向配置されることにより形成されている。この蓄積容量７０によれば、画素電極９ａにおける電位保持特性を顕著に高めることが可能となる。また、本実施形態に係る蓄積容量７０は、図２の平面図を見るとわかるように、画素電極９ａの形成領域にほぼ対応する光透過領域には至らないように形成されているため（換言すれば、遮光領域内に収まるように形成されているため）、電気光学装置全体の画素開口率は比較的大きく維持され、これにより、より明るい画像を表示することが可能となる。
【００５６】
より詳細には、第１中継層７１は、例えば導電性のポリシリコン膜からなり画素電位側容量電極として機能する。ただし、第１中継層７１は、金属又は合金を含む単一層膜又は多層膜から構成してもよい。また、この第１中継層７１は、画素電位側容量電極としての機能のほか、コンタクトホール８３、８８１、８８２、４０２及び８９を介して、画素電極９ａとＴＦＴ３０の高濃度ドレイン領域１ｅとを中継接続する機能をもつ。この第１中継層７１は、後述する容量電極３００の平面形状（図２参照）と略同一の形状を有するように形成されている。
【００５７】
容量電極３００は、蓄積容量７０の固定電位側容量電極として機能する。容量電極３００を固定電位とするためには、固定電位とされた、後述するシールド層４００と電気的接続が図られることによりなされている。また、容量電極３００は、例えば、下側遮光膜１１ａと同様に、Ｔｉ、Ｃｒ、Ｗ、Ｔａ、Ｍｏ等の高融点金属のうちの少なくとも一つを含む、金属単体、合金、金属シリサイド、ポリシリサイド、これらを積層したもの等の遮光性材料から構成するとよい。これによれば、容量電極３００は、ＴＦＴ３０に上側から入射しようとする光を遮る機能を有している。
【００５８】
誘電体膜７５は、図５に示すように、例えば膜厚５〜２００ｎｍ程度の比較的薄いＨＴＯ（High Temperature Oxide）膜、ＬＴＯ（Low Temperature Oxide）膜等の酸化シリコン膜、あるいは窒化シリコン膜等から構成される。
【００５９】
そして、本実施形態においては特に、この誘電体膜７５は、図５に示すように、下層に酸化シリコン膜７５ａ、上層に窒化シリコン膜７５ｂというように二層構造を有するものとなっている。上層の窒化シリコン膜７５ｂは画素電位側容量電極の下部電極７１より少し大きなサイズにパターニングされ、遮光領域（非開口領域）内で収まるように形成されている。
【００６０】
尚、本実施形態では、誘電体膜７５は、二層構造を有するものとなっているが、場合によっては、例えば酸化シリコン膜、窒化シリコン膜及び酸化シリコン膜等というように三層構造や、或いはそれ以上の蓄積構造を有するように構成してもよいし、単層構造としてもよい。
【００６１】
以上述べた、ＴＦＴ３０ないしゲート電極３ａａ及び中継電極７１９の上、且つ、蓄積容量７０の下には、第１層間絶縁層４１が形成されている。該第１層間絶縁層４１は、上述と略同様に、ＮＳＧ（ノンシリケートガラス）、ＰＳＧ（リンシリケートガラス）、ＢＳＧ（ボロンシリケートガラス）、ＢＰＳＧ（ボロンリンシリケートガラス）等のシリケートガラス膜、窒化シリコン膜や酸化シリコン膜等で構成すればよい。
【００６２】
また、この第１層間絶縁層４１には、下部電極７１の図５中下面に電気的接続点をもつように配置された、コンタクトホール８８１が開孔されている。これにより、第１中継層７１及び中継電極７１９間の電気的接続が図られることになる。また、第１層間絶縁層４１には、後述する第２中継層６ａ２との電気的接続を図るため、後記第２層間絶縁層４２をも貫通するように開孔されたコンタクトホール８８２が開孔されている。更に、第１層間絶縁層４１には、ＴＦＴ３０の高濃度ソース領域１ｄと後述するデータ線６ａとを電気的に接続するコンタクトホール８１が、後述する第２層間絶縁層４２を貫通しつつ開孔されている。加えて、第１層間絶縁層４１には、ＴＦＴ３０の高濃度ドレイン領域１ｅと蓄積容量７０を構成する第１中継層７１とを電気的に接続するコンタクトホール８３が開孔されている。
【００６３】
第４層にはデータ線６ａが形成される。このデータ線６ａは、図５に示すように、下層より順に、アルミニウムからなる層４１Ａ、窒化チタンからなる層４１ＴＮ、窒化シリコン膜からなる層４０１の三層構造を有する膜として形成されている。窒化シリコン膜４０１は、その下層のアルミニウム層４１Ａと窒化チタン層４１ＴＮを覆うように少し大きなサイズにパターニングされている。
【００６４】
また、第４層には、データ線６ａと同一膜として、シールド層用中継層６ａ１及び第２中継層６ａ２が形成されている。これらは、図２に示すように、平面的に見ると、データ線６ａと連続した平面形状を有するように形成されているのではなく、各者間はパターニング上分断されるように形成されている。
【００６５】
以上述べた、蓄積容量７０の上、且つ、データ線６ａの下には、第２層間絶縁層４２が形成されているが、該第２層間絶縁層４２は、上述と略同様に、ＮＳＧ、ＰＳＧ、ＢＳＧ、ＢＰＳＧ等のシリケートガラス膜、窒化シリコン膜や酸化シリコン膜等で構成すればよい。また、この第２層間絶縁層４２には、前述のシールド層用中継層６ａ１と蓄積容量７０上の上部電極たる容量電極３００とを電気的に接続するコンタクトホール８０１が開孔されている。さらに、第２層間絶縁層４２には、第２中継層６ａ２と中継電極７１９とを電気的に接続するための、前記のコンタクトホール８８２が形成されている。
【００６６】
次に、第５層には、シールド層４００が形成されている。このシールド層４００は、平面的にみると、図２及び図３に示すように、図中Ｘ方向及びＹ方向それぞれに延在するように格子状に形成されている。該容量配線４００のうち図中Ｙ方向に延在する部分については特に、データ線６ａを覆うように、且つ、該データ線６ａよりも幅広に形成されている。また、図中Ｘ方向に延在する部分については、後述の第３中継層４０２を形成する領域を確保するために、各画素電極９ａの一辺の中央付近に切り欠き部を有している。
【００６７】
さらには、図２及び図３中ＸＹ方向それぞれに延在するシールド層４００の交差部分の隅部においては、該隅部を埋めるようにして、略三角形状の部分が設けられている。シールド層４００に、この略三角形状の部分が設けられていることにより、ＴＦＴ３０の半導体層１ａに対して、斜め上から進入しようとする光は、この三角形状部分で反射又は吸収されることになり半導体層１ａには至らないことになる。従って、光リーク電流の発生を抑制し、フリッカ等のない高品質な画像を表示することが可能となる。このシールド層４００は、画素電極９ａが配置された画像表示領域１０ａからその周囲に延設され、定電位源と電気的に接続されることで、固定電位とされている。
【００６８】
このように、データ線６ａの全体を覆うように形成されているとともに（図３参照）、固定電位とされたシールド層４００の存在によれば、該データ線６ａ及び画素電極９ａ間に生じる容量カップリングの影響を排除することが可能となる。すなわち、データ線６ａへの通電に応じて、画素電極９ａの電位が変動するという事態を未然に回避することが可能となり、画像上に該データ線６ａに沿った表示ムラ等を発生させる可能性を低減することができる。本実施形態においてはまた、シールド層４００は格子状に形成されているから、走査線３ａとして機能する下側遮光膜１１ａが延在する部分についても無用な容量カップリングが生じないように、これを抑制することが可能となっている。また、シールド層４００における上述の略三角形状の部分は、容量電極３００と画素電極９ａとの間に生じる容量カップリングの影響を排除することが可能であり、これによっても、上述と略同様な作用効果が得られることになる。
【００６９】
また、第５層には、このようなシールド層４００と同一膜として、第３中継層４０２が形成されている。この第３中継層４０２は、後述のコンタクトホール８０４及び８９を介して、第２中継層６ａ２及び画素電極９ａ間の電気的接続を中継する機能を有する。なお、これらシールド層４００及び第３中継層４０２間は、前述の容量電極３００及びデータ線６ａと同様に、平面形状的に連続して形成されているのではなく、両者間はパターニング上分断されるように形成されている。
【００７０】
他方、上述のシールド層４００及び第３中継層４０２は、下層にアルミニウムからなる層、上層に窒化チタンからなる層の二層構造を有している。また、図５に示すように、シールド層４００の表面上には、後述する本発明に係る「窒化膜」４６ａが形成されている。該窒化膜４６ａについて詳細は後述する。
【００７１】
以上述べた、データ線６ａの上、且つ、シールド層４００の下には、ＮＳＧ、ＰＳＧ、ＢＳＧ、ＢＰＳＧ等のシリケートガラス膜、窒化シリコン膜や酸化シリコン膜等、あるいは好ましくはＮＳＧからなる第３層間絶縁層４３が形成されている。この第３層間絶縁層４３には、シールド層４００と前述のシールド層用中継層６ａ１とを電気的に接続するためのコンタクトホール８０３、及び、第３中継層４０２と第２中継層６ａ２とを電気的に接続するためのコンタクトホール８０４が形成されている。
【００７２】
最後に、第６層には、上述したように画素電極９ａがマトリクス状に形成され、該画素電極９ａ上に配向膜１６が形成されている。そして、この画素電極９ａ下には、ＮＳＧ、ＰＳＧ、ＢＳＧ、ＢＰＳＧ等のシリケートガラス膜、窒化シリコン膜や酸化シリコン膜等、あるいは好ましくはＢＰＳＧからなる第４層間絶縁層４４が形成されている。この第４層間絶縁層４４には、画素電極９ａ及び前記の第２中継層４０２間を電気的に接続するためのコンタクトホール８９が開孔されている。
【００７３】
本実施形態では、図５に示すように、第５層において、シールド層４００の表面上には窒化膜４６ａが形成されている。この窒化膜４６ａは、平面的にみると、図３及び図４に示すように、シールド層４００の表面上をほぼ覆うように、該シールド層４００と同様のパターンとして形成される。尚、窒化膜４６ａをこのように設けた場合、第３層間絶縁層４３は本発明に係る「第１の絶縁層」に相当し、第４層間絶縁層４４は本発明に係る「第２の絶縁層」に相当する。
【００７４】
ここに、図４には、窒化膜４６ａの構成に着目して、該窒化膜４６ａにハッチングを付して示してある。尚、図４中、画素電極９ａに対応する画素開口領域をｇＯｐとして示してある。
【００７５】
図４及び図５に示すように、窒化膜４６ａの形成領域は、シールド層４００の形成領域と、第３層間絶縁層４３上における、シールド層４００と第３中継層４０２との間を占める平面領域４７とを含んでいる。即ち、窒化膜４６ａは、シールド層４００と第３中継層４０２との間を橋渡しをするように、シールド層４００の表面上から延在して設けられている。
【００７６】
また、上述したように、シールド層４００は半導体層１ａに対する遮光膜としても機能する。このようなシールド層４００の構成に着目すれば、図５中、符号４８を付して示した点線に相当する部分は、画素開口領域ｇＯｐの境界に相当する。この境界に面したシールド層４００の端面は、窒化膜４６ａに覆われている。そして、窒化膜４６ａの端面の裾は、前述した画素開口領域ｇＯｐの境界に沿って形成されている。
【００７７】
尚、窒化膜４６ａは、例えばＳｉＮ膜、ＳｉＯＮ膜又はＴｉＮ膜等を用いて構成される。
【００７８】
ここに、特に、液晶層５０に面した最上層の次に配置される第５層は、液晶層５０より水分が浸入し易い個所に当る。そして、シールド層４００及び第３中継層４０２の間を占める平面領域４７に、仮に窒化膜４６ａが存在しないとすると、第３層間絶縁層４３及び第４層間絶縁層４４が直接に接する界面が存在することになる。そして、該界面に液晶層５０より水分が浸入した場合には、該界面に沿った導電路が発生してしまうため、シールド層４００及び第３中継層４０２間の電気抵抗が著しく低下するという現象が生じかねない。
【００７９】
これに対して本実施形態では、シールド層４００及び第３中継層４０２の間を占める平面領域４７には、例えば酸化シリコンやガラス等と比べて水分の透過を殆ど許さない、例えばＳｉＮ膜、ＳｉＯＮ膜又はＴｉＮ膜等の窒化膜４６ａが存在するので、窒化膜４６ａを一方の面とする界面に水分が浸入し難くなる。更に、一方の界面に水分が浸入しても、これが窒化膜４６ａを透過することは殆ど無くなる。これらの結果、シールド層４００及び第３中継層４０２の間を占める平面領域４７において、窒化膜４６ａを一方の面とする界面に沿った導電路が殆ど発生しないため、例えば配線間ショートなどシールド層４００及び第３中継層４０２間の電気抵抗が低下する現象を非常に効果的に防止できる。
【００８０】
また、窒化膜４６ａの形成領域は、シールド層４００の形成領域を含むため、該シールド層４００に対する水分の浸入を防ぐことが可能となり、装置の寿命や信頼性を向上させるのに役立つ。更に、図４及び図５に示すように、窒化膜４６ａは、画素の非開口領域内にのみ積層されているので、各画素開口領域ｇＯｐにおける光透過率等の光学特性を、窒化膜４６ａの存在により劣化させないで済む。この結果、明るく高品位の画像を表示させる上で大変有利である。
【００８１】
加えて、電気光学装置の動作時には、当該電気光学装置に入射される表示用の光が、特にシールド層４００におけるアルミニウム層の端面で乱反射するのを、該端面に形成されると共に光吸収能力を有する窒化膜４６ａ部分によって、低減できる。その結果、シールド層４００における高反射率のアルミニウム膜が、光を乱反射することにより、表示画面にフリッカが生じるのを防止することができる。その結果、表示画像の画質を一層高めることが可能となる。また、水分浸入によるアルミニウム層のマイグレーションを防止することにも繋がるので、装置の寿命や信頼性を向上させる上で大変有利である。
【００８２】
また、本実施形態では、窒化膜の形成領域は、図６及び図７に示すような領域であってもよい。
【００８３】
図６に示すように、窒化膜４６ｂの形成領域は、シールド層４００の形成領域と、第３層間絶縁層４３上における、シールド層４００と第３中継層４０２との間を占める平面領域４７と、第３中継層４０２の形成領域とを含むように構成してもよい。
【００８４】
また、図７に示すように、窒化膜４６ｃの形成領域は、第３層間絶縁層４３上における、シールド層４００と第３中継層４０２との間を占める平面領域４７と、第３中継層４０２の形成領域とを含むように構成してもよい。
【００８５】
図６及び図７に示すように、窒化膜４６ｂ及び４７ｃを形成しても、図４及び図５に示すように窒化膜４６ａを形成した場合と同様に、シールド層４００及び第３中継層４０２間の電気抵抗が低下する現象を非常に効果的に防止できる。
【００８６】
また、本実施形態では、例えば、相対的に水分が浸入しやすいＴＦＴアレイ基板１０上における積層構造の上層寄りに位置する配線部や中継部なと、水分の浸入により短絡が生じやすい二つの導電層部分間を選択して上述したように窒化膜を設けると効率的である。
【００８７】
図８は、図５に示す断面の他の構成を示す図であって、ＴＦＴアレイ基板１０上における積層構造の第４層に窒化膜が設けられる構成を示してある。
【００８８】
図８において、データ線６ａ、シールド層用中継層６ａ１、及び第２中継層６ａ２に夫々含まれる窒化膜４０１を、シールド層用中継層６ａ１、及び第２中継層６ａ２の各々の表面上から、互いの間を橋渡しするように延在して形成されてもよい。このように形成した場合も、第５層に窒化膜４６ａを設ける場合と同様の作用及び効果を得ることができる。
【００８９】
（電気光学装置の全体構成）
以上のように構成された実施形態における電気光学装置の全体構成を図９及び図１０を参照して説明する。なお、図９は、ＴＦＴアレイ基板をその上に形成された各構成要素とともに対向基板２０の側からみた平面図であり、図１０は図９のＨ−Ｈ´断面図である。
【００９０】
図９及び図１０において、本実施形態に係る電気光学装置では、ＴＦＴアレイ基板１０と対向基板２０とが対向配置されている。ＴＦＴアレイ基板１０と対向基板２０との間には、液晶５０が封入されており、ＴＦＴアレイ基板１０と対向基板２０とは、画像表示領域１０ａの周囲に位置するシール領域に設けられたシール材５２により相互に接着されている。
【００９１】
シール材５２は、両基板を貼り合わせるため、例えば紫外線硬化樹脂、熱硬化樹脂等からなり、紫外線、加熱等により硬化させられたものである。また、このシール材５２中には、本実施形態における液晶装置がプロジェクタ用途のように小型で拡大表示を行う液晶装置であれば、両基板間の距離（基板間ギャップ）を所定値とするためのグラスファイバ、あるいはガラスビーズ等のギャップ材（スペーサ）が散布されている。あるいは、当該液晶装置が液晶ディスプレイや液晶テレビのように大型で等倍表示を行う液晶装置であれば、このようなギャップ材は、液晶層５０中に含まれてよい。
【００９２】
シール材５２の外側の領域には、データ線６ａに画像信号を所定のタイミングで供給することにより該データ線６ａを駆動するデータ線駆動回路１０１及び外部回路接続端子１０２がＴＦＴアレイ基板１０の一辺に沿って設けられており、走査線３ａに走査信号を所定のタイミングで供給することにより、走査線３ａを駆動する走査線駆動回路１０４が、この一辺に隣接する二辺に沿って設けられている。
【００９３】
なお、走査線３ａに供給される走査信号遅延が問題にならないのならば、走査線駆動回路１０４は片側だけでもよいことは言うまでもない。また、データ線駆動回路１０１を画像表示領域１０ａの辺に沿って両側に配列してもよい。
【００９４】
ＴＦＴアレイ基板１０の残る一辺には、画像表示領域１０ａの両側に設けられた走査線駆動回路１０４間をつなぐための複数の配線１０５が設けられている。また、対向基板２０のコーナ部の少なくとも一箇所においては、ＴＦＴアレイ基板１０と対向基板２０との間で電気的に導通をとるための導通材１０６が設けられている。
【００９５】
図１０において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１のほか、最上層部分に配向膜が形成されている。また、液晶層５０は、例えば一種又は数種類のネマテッィク液晶を混合した液晶からなり、これら一対の配向膜間で、所定の配向状態をとる。
【００９６】
なお、ＴＦＴアレイ基板１０上には、これらのデータ線駆動回路１０１、走査線駆動回路１０４等に加えて、複数のデータ線６ａに画像信号を所定のタイミングで印加するサンプリング回路、複数のデータ線６ａに所定電圧レベルのプリチャージ信号を画像信号に先行して各々供給するプリチャージ回路、製造途中や出荷時の当該電気光学装置の品質、欠陥等を検査するための検査回路等を形成してもよい。
【００９７】
（電子機器）
次に、以上詳細に説明した電気光学装置をライトバルブとして用いた電子機器の一例たる投射型カラー表示装置の実施形態について、その全体構成、特に光学的な構成について説明する。ここに、図１１は、投射型カラー表示装置の図式的断面図である。
【００９８】
図１１において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【００９９】
本発明は、上述した実施形態に限られるものではなく、請求の範囲及び明細書全体から読み取れる発明の要旨、あるいは思想に反しない範囲で適宜変更可能であり、そのような変更を伴う電気光学装置及び電子機器もまた、本発明の技術的範囲に含まれるものである。
【図面の簡単な説明】
【０１００】
【図１】本発明の実施形態の電気光学装置における画像表示領域を構成するマトリクス状の複数の画素に設けられた各種素子、配線等の等価回路を示す回路図である。
【図２】本発明の実施形態の電気光学装置におけるデータ線、走査線、画素電極等が形成されたＴＦＴアレイ基板の相隣接する複数の画素群の平面図である。
【図３】図２のうちデータ線、シールド層及び画素電極の配置関係を示すためこれらの要素を抜き出して描いた平面図である。
【図４】図３のうち、窒化膜の構成を示すため該窒化膜を含む一部の構成要素を抜き出して描いた平面図である。
【図５】図２のＡ−Ａ´断面図である。
【図６】図４に示す窒化膜の他の構成を示す図である。
【図７】図４に示す窒化膜の他の構成を示す図である。
【図８】図５に示す断面の他の構成を示す図である。
【図９】本発明の実施形態の電気光学装置におけるＴＦＴアレイ基板を、その上に形成された各構成要素とともに対向基板の側から見た平面図である。
【図１０】図９のＨ−Ｈ´断面図である。
【図１１】本発明の電子機器の実施形態である投射型カラー表示装置の一例たるカラー液晶プロジェクタを示す図式的断面図である。
【符号の説明】
【０１０１】
６ａ…データ線    ９ａ…画素電極    １０…ＴＦＴアレイ基板    １０ａ…画像表示領域    １１ａ…下側遮光膜    ２０…対向基板    ２１…対向電極    ３０…ＴＦＴ    ４６ａ、４０１ａ…窒化膜
【図１】
2005062417.tif 000003
【図２】
2005062417.tif 000004
【図３】
2005062417.tif 000005
【図４】
2005062417.tif 000006
【図５】
2005062417.tif 000007
【図６】
2005062417.tif 000008
【図７】
2005062417.tif 000009
【図８】
2005062417.tif 000010
【図９】
2005062417.tif 000011
【図１０】
2005062417.tif 000012
【図１１】
2005062417.tif 000013